(57)【要約】【課題】原稿を読み取り、その原稿が確実に再利用不能な状態にされたことが検知された後で、読み取られたデータを利用可能とすることができる画像読取装置を提供する。【解決手段】原稿画像を読み取る読取手段３０と、読取手段３０により読み取られたデータを記憶する記憶手段５０と、読取手段３０により読み取られた原稿を再利用不能状態にして廃棄する廃棄手段７０と、廃棄手段７０により原稿が再利用不能状態にされたことを検知する検知手段８０と、検知手段８０により検知された場合、記憶手段５０に記憶されたデータをアクセス可能とし、検知手段８０により検知されていない場合、記憶手段５０に記憶されたデータをアクセス不能とする制御手段１０と、を備える。【選択図】図１
2014072833.tif 000002
【特許請求の範囲】
【請求項１】
原稿画像を読み取る読取手段と、
前記読取手段により読み取られたデータを記憶する記憶手段と、
前記読取手段により読み取られた前記原稿を再利用不能状態にして廃棄する廃棄手段と、
前記廃棄手段により前記原稿が再利用不能状態にされたことを検知する検知手段と、
前記検知手段により前記検知された場合、前記記憶手段に記憶されたデータをアクセス可能とし、前記検知手段により前記検知されていない場合、前記記憶手段に記憶されたデータをアクセス不能とする制御手段と、を備えたことを特徴とする画像読取装置。
【請求項２】
前記読取手段により読み取られたデータを暗号化して前記記憶手段に記憶させる暗号化手段と、
前記暗号化手段により暗号化されたデータを復号化する復号化手段と、を備え、
前記記憶手段は、前記読取手段により読み取られたデータを前記暗号化手段により暗号化された状態で記憶し、
前記制御手段は、
前記検知手段により前記検知された場合、前記記憶手段に記憶されたデータを前記復号化手段により復号化させ、
前記検知手段により前記検知されていない場合、前記記憶手段に記憶されたデータを前記復号化手段に復号化させないよう制御することを特徴とする請求項１記載の画像読取装置。
【請求項３】
前記記憶手段を前記画像読取装置から取り外し不能とさせるように施錠する施錠手段を備えたことを特徴とする請求項１または２記載の画像読取装置。
【請求項４】
前記読取手段により読み取られた前記原稿を前記読取手段から前記廃棄手段に搬送する搬送手段を備え、
前記廃棄手段は、前記搬送手段により搬送された前記原稿を再利用不能状態にして廃棄することを特徴とする請求項１から３の何れか１項に記載の画像読取装置。
【請求項５】
前記制御手段は、アクセス可能としたデータを表示手段に出力して表示させることを特徴とする請求項１から４の何れか１項に記載の画像読取装置。
【発明の詳細な説明】
【技術分野】
【０００１】
本発明は、原稿画像を読み取る画像読取装置に関する。
【背景技術】
【０００２】
近年、各種の携帯端末が普及するのに伴い、電子書籍が一般に広まりつつある。電子書籍を愛好するユーザの中には、購入した電子書籍を読むだけでなく、紙媒体で出版された本を裁断およびスキャンして電子書籍化するユーザまで存在する。裁断およびスキャンして本を電子書籍化する行為は“自炊”と呼ばれ、それを行うユーザは徐々に増えつつある。
【０００３】
しかし、自炊を行なうには、数万円の裁断機やスキャナを購入するだけでなく、数時間の手間隙をかけて本を電子書籍化する必要がある。このため、気軽に行える行為ではなく、この“自炊”を代行する自炊代行業者も存在する。
【０００４】
また、原稿の画像を読み取った後、ファクシミリ送信や記憶装置への記憶といった処理の完了を確認し、その確認がとれてから原稿を裁断する装置が知られている（例えば、特許文献１参照）。
【発明の概要】
【発明が解決しようとする課題】
【０００５】
しかしながら、自炊代行業者による対価を受け取る自炊は著作権法に違反している可能性が指摘されており、著作権者もその問題点を指摘し始めている。著作権者が自炊代行業を問題視する主な背景として、下記のものが挙げられる。
・    電子書籍化した本や原稿が、適切に処分されていないのではないかという疑念
・    電子書籍化したデータが、適切に管理されていないのではないかという疑念
【０００６】
すなわち、自炊代行業者が、電子書籍化したデータを不当に再利用することで利益を得ているのではないかという疑念である。
こうした疑念を払拭できないために、自主的に自炊代行業を撤退する業者が相次いでいる。この疑念を払拭して著作権者の理解を得やすくするために、元の原稿を電子書籍化する際に、元の原稿が確実に再利用できない形で処分されていることを保証し、自炊代行業者が不当に利益を得ていないことを証明することが求められていた。
【０００７】
また、上述した特許文献１のものは、原稿の画像を読み取った後、ファクシミリ送信や記憶装置への記憶といった処理を確実に行うようにするものであり、読み取り後の原稿が確実に再利用不能な状態にされたかどうかを検知することについてまで考慮されたものではなかった。
【０００８】
本発明はこのような状況に鑑みてなされたものであり、原稿を読み取り、その原稿が確実に再利用不能な状態にされたことが検知された後で、読み取られたデータを利用可能とすることができる画像読取装置を提供することを目的とする。
【課題を解決するための手段】
【０００９】
かかる目的を達成するために、本発明に係る画像読取装置は、原稿画像を読み取る読取手段と、読取手段により読み取られたデータを記憶する記憶手段と、読取手段により読み取られた原稿を再利用不能状態にして廃棄する廃棄手段と、廃棄手段により原稿が再利用不能状態にされたことを検知する検知手段と、検知手段により検知された場合、記憶手段に記憶されたデータをアクセス可能とし、検知手段により検知されていない場合、記憶手段に記憶されたデータをアクセス不能とする制御手段と、を備えたことを特徴とする。
【発明の効果】
【００１０】
以上のように、本発明によれば、原稿を読み取り、その原稿が確実に再利用不能な状態にされたことが検知された後で、読み取られたデータを利用可能とすることができる。
【図面の簡単な説明】
【００１１】
【図１】本発明の第１の実施形態としての画像読取装置周りの構成および動作を概略的に示すブロック図である。
【図２】該画像読取装置の動作例を示すフローチャートである。
【図３】本発明の第２の実施形態としての画像読取装置周りの構成および動作を概略的に示すブロック図である。
【図４】該画像読取装置の動作例を示すフローチャートである。
【発明を実施するための形態】
【００１２】
次に、本発明に係る画像読取装置を適用した一実施形態について、図面を用いて詳細に説明する。
【００１３】
まず、本発明の各実施形態に共通する概略について説明する。
本発明の各実施形態は、紙媒体の原稿をスキャンして電子データ化し、電子データを記憶部に保存し、原稿をシュレッダーで廃棄処理し、廃棄処理をセンサで検知した場合にのみ、記憶部内の電子データをユーザから利用可能とする。
このため、スキャナを利用した電子書籍化の作業において、元の原稿が確実に処分されている場合にのみ、電子化されたデータを利用可能とすることができる。
【００１４】
〔第１の実施形態〕
次に、本発明の第１の実施形態について説明する。図１は、第１の実施形態における画像読取装置１００周りの構成および動作を概略的に示す。
第１の実施形態は、記憶部内の電子データを暗号化、復号化する仕組みを付加した場合の構成例である。
【００１５】
第１の実施形態としての画像読取装置は、図１に示すように、装置全体の制御を行う制御部１０と、セットされた原稿を画像読取部３０に給紙する原稿給紙部２０と、原稿を読み取って電子データにする画像読取部３０と、読み取られた電子データを暗号化する暗号化部４０と、記憶部５０と、画像読取部３０で読み取られた原稿を原稿廃棄部７０に搬送する原稿搬送部６０と、原稿を再利用不能な状態にして廃棄する原稿廃棄部７０と、原稿が再利用不能な状態にされて廃棄されたことを検知する廃棄検知部８０と、暗号化部４０で暗号化されたデータを復号化する復号化部９０と、を備えて構成される。
【００１６】
暗号化部４０は、専用のハードウェアにより暗号化する構成であってもよく、ソフトウェアにより不図示のＣＰＵが処理を行うことで実現される構成であってもよい。
また、復号化部９０は、専用のハードウェアにより復号化する構成であってもよく、ソフトウェアにより不図示のＣＰＵが処理を行うことで実現される構成であってもよい。
【００１７】
記憶部５０は、読み取られた画像データを記憶することができれば、ＨＤＤやフラッシュメモリなど不揮発性の記憶部であってもよく、ＶＲＡＭなど揮発性の記憶部であってもよい。
【００１８】
次に、本実施形態の画像読取装置１００の動作について、図２のフローチャートを参照して説明する。
【００１９】
まず、ユーザは、電子データ化を希望する原稿を原稿給紙部２０の所定位置にセットする。原稿が載置されたことを検出すると（ステップＳ１；Ｙｅｓ）、原稿給紙部２０は、載置された原稿を１枚ずつ画像読取部３０へと給紙する（ステップＳ２）。なお、原稿給紙部２０による給紙方法は、片面１枚ずつ、両面読取など、各種の方法を選択可能な構成であってよい。また、ユーザが不図示の電源スイッチを押すことにより動作を開始する仕組みとなっていてもよい。
【００２０】
画像読取部３０は原稿をスキャンして電子データとして読み込み（ステップＳ３）、その電子データを暗号化部４０へと送信する。また、片面読取の場合は原稿の片面について、両面読取の場合は原稿の両面について、画像読取部３０によるスキャンが完了した場合、原稿搬送部６０は、画像読取部３０によるスキャンが完了した原稿を原稿廃棄部７０へと搬送する。
【００２１】
暗号化部４０は、送信されたデータを暗号化し（ステップＳ５）、記憶部５０へとデータを送信する。ここで暗号化手法は、確実に復号化できるものであれば、どのような方法を用いてもよい。また、画像読取部３０と暗号化部４０の間の通信路からデータを無理矢理取得されてしまうことのないよう、暗号化部４０は画像読取部３０と一体型となっている方が好ましい。
【００２２】
原稿廃棄部７０は、搬送されてきた原稿を、ユーザが再利用できない形にして廃棄する（ステップＳ４）。原稿を再利用不能な状態にする構成としては、例えばシュレッダーを掛けることで原稿を細断する構成であってもよく、他の方法により原稿を再利用できなくする構成であってもよい。
【００２３】
廃棄検知部８０は、原稿廃棄部７０で原稿が再利用不能な状態にされたことを検知すると、検知した旨を制御部１０に通知する。廃棄検知部８０により検知するための構成としては、例えば原稿廃棄部７０の入口と出口にセンサが設けられることで原稿が通過したことを検知する構成であってもよい。また、廃棄された原稿を溜め置く廃棄箱に重量検知センサを設け、重量の変化により検知する構成であってもよい。このように、廃棄検知部８０により検知するための構成は、原稿が再利用不能な状態にされたことを検知できれば任意のものであってよい。
【００２４】
制御部１０は、原稿が再利用不能な状態にされたことを検知した旨を廃棄検知部８０から通知された場合（ステップＳ６；Ｙｅｓ）、暗号化部４０により暗号化されて記憶部５０内に保存された電子データを、復号化部９０へと送信する。
【００２５】
送信された電子データを復号化部９０が復号化すると（ステップＳ７）、制御部１０は、復号化されたデータをユーザによりアクセス可能な状態とする（ステップＳ８）。アクセス可能な状態にするとは、復号化された電子データを記憶部５０内に保存してユーザが取得できる状態にすることであってもよく、予め定められた外部装置や外部記録媒体等に送信することであってもよい。
【００２６】
制御部１０は、復号化されたデータをアクセス可能な状態にすると、画像表示装置２００へと電子データを送信する。画像表示装置２００は送信されてきた電子データを表示してユーザにより閲覧可能とする。
なお、画像表示装置２００はユーザにスキャンした電子データを提示できるものであれば、どのようなものでもよい。例えばユーザのＰＣが画像表示装置２００に相当するのであれば、そのＰＣのディスプレイが画像表示装置２００を兼用する構成であってもよい。
【００２７】
以上のように、上述した本発明の第１の実施形態では、元の原稿をスキャンし、スキャンした電子データを暗号化して記憶部に保存する。その後、原稿をシュレッダーで廃棄処理したことを検知した後、記憶部内の暗号化された電子データを復号化し、アクセス許可状態とする。
【００２８】
このため、スキャナを利用した電子書籍化の作業において、元の原稿が確実に処分されていることを保証することができる。すなわち、スキャンによって得られた電子データと元の原稿の両方を、ユーザが同時に利用できないようになっていることを保証することができる。
【００２９】
さらに、スキャンされた電子データを暗号化して記憶部５０に保存しているため、ユーザが記憶部５０内の電子データに無理矢理アクセスすることを防止でき、元の原稿が確実に処分されていることを保証するためのセキュリティを向上させることができる。
【００３０】
〔第２の実施形態〕
次に、本発明の第２の実施形態について説明する。図３は、第２の実施形態における画像読取装置１００周りの構成および動作を概略的に示す。
第２の実施形態は、記憶部５０を施錠部５５の内部に設置する構成を付加した場合の構成例である。上述した第１の実施形態と同様のものについては説明を省略する。
【００３１】
第２の実施形態としての画像読取装置１００は、上述した第１の実施形態と同様の制御部１０と、原稿給紙部２０と、画像読取部３０と、記憶部５０と、原稿搬送部６０と、原稿廃棄部７０と、廃棄検知部８０と、に加えて、記憶部５０を画像読取装置１００から取り外し不能とさせるように施錠する施錠部５５を備えて構成される。
【００３２】
施錠部５５は、例えば鍵により施錠可能な箱であってもよく、この場合、この箱が画像読取装置１００の筐体に固定され、この箱の中に記憶部５０を収めることで、鍵を解錠しない限り箱から記憶部５０を取り出すことができないように構成する。また、記憶部５０を画像読取装置１００から取り外し不能とさせるように、施錠により記憶部５０を画像読取装置１００の筐体に取り付けることができれば、施錠部５５の構成は任意であってよい。
【００３３】
次に、本実施形態の画像読取装置１００の動作について、図４のフローチャートを参照して説明する。
【００３４】
ステップＳ１〜Ｓ４の動作については、上述した第１の実施形態におけるステップＳ１〜Ｓ４の動作と同様である。
【００３５】
画像読取部３０は原稿をスキャンして電子データとして読み込むと（ステップＳ３）、その電子データを施錠部５５内の記憶部５０に送信し、記憶部５０に格納する（ステップＳ１５）。なお、画像読取部３０と施錠部５５内の記憶部５０の間の通信路からデータを無理矢理取得されてしまうことのないよう、施錠部５５内の記憶部５０は画像読取部３０と一体型となっている方が好ましい。
【００３６】
上述した第１の実施形態と同様に原稿が原稿廃棄部７０で再利用不能な状態にされ、廃棄検知部８０がその旨を検知すると、廃棄検知部８０は、その旨を制御部１０に通知する。
制御部１０は、原稿が再利用不能な状態にされたことを検知した旨を廃棄検知部８０から通知された場合（ステップＳ１６；Ｙｅｓ）、記憶部５０内に保存された電子データをユーザによりアクセス可能な状態とする（ステップＳ１７）。アクセス可能な状態にするとは、記憶部５０内に保存された電子データをユーザが取得できる状態にすることであってもよく、予め定められた外部装置や外部記録媒体等に送信することであってもよい。
【００３７】
制御部１０は、記憶部５０内に保存された電子データをアクセス可能な状態にすると、画像表示装置２００へと電子データを送信する。画像表示装置２００は送信されてきた電子データを表示してユーザにより閲覧可能とする。
なお、画像表示装置２００はユーザにスキャンした電子データを提示できるものであれば、どのようなものでもよい。例えばユーザのＰＣが画像表示装置２００に相当するのであれば、そのＰＣのディスプレイが画像表示装置２００を兼用する構成であってもよい。
【００３８】
以上のように、上述した本発明の第２の実施形態では、元の原稿をスキャンし、スキャンした電子データを記憶部に保存する。その後、原稿をシュレッダーで廃棄処理したことを検知した後、記憶部内に保存された電子データを制御部１０がアクセス許可状態とする。
【００３９】
このため、スキャナを利用した電子書籍化の作業において、元の原稿が確実に処分されていることを保証することができる。すなわち、スキャンによって得られた電子データと元の原稿の両方を、ユーザが同時に利用できないようになっていることを保証することができる。
【００４０】
さらに、スキャンされた電子データを保存する記憶部５０を施錠部５５により施錠し、解錠しない限り画像読取装置１００の筐体から取り外しできない構成としているため、ユーザが記憶部５０を画像読取装置１００の筐体から無理矢理取り外して記憶部５０内のデータにアクセスしようとすることを防止することができる。このため、元の原稿が確実に処分されていることを保証するためのセキュリティを向上させることができる。
【００４１】
〔各実施形態について〕
なお、上述した各実施形態は本発明の好適な実施形態であり、本発明はこれに限定されることなく、本発明の技術的思想に基づいて種々変形して実施することが可能である。
【００４２】
例えば、上述した各実施形態では、元の原稿をスキャンし、スキャンした電子データを記憶部に保存する。その後、原稿をシュレッダーで廃棄処理したことを検知した場合に、保存した記憶部内の電子データをアクセス許可状態としている。
この構成に加えて、不正なアクセスから防御し、セキュリティを確保するための構成を付与する場合、上述した第１の実施形態による暗号化や、上述した第２の実施形態による施錠に限定されず、他の方法によりセキュリティを確保する構成であってもよい。すなわち、元の原稿が確実に処分され、電子データと両方をユーザが使用できないことを保証できる構成であれば、不正防止の構造は任意であってよい。
【００４３】
また、上述した第１の実施形態による暗号化を行い、かつ、上述した第２の実施形態による施錠部５５内に記憶部５０を格納した構成としてもよい。この構成によれば、不正なアクセスに対するセキュリティをより高めることができる。
【００４４】
また、上述した各実施形態は、ユーザが原稿給紙部２０に１枚以上の紙としての原稿をセットする場合の構成例について説明したものである。すなわち、電子書籍化しようとする対象が製本された本である場合、ユーザが製本部分を裁断して紙束としてから原稿給紙部２０にセットする場合の構成例について説明したものである。
本発明はこうした構成に限定されず、例えば、原稿給紙部２０が、製本された本を自動でページめくりする機構を備え、原稿搬送部６０が、製本された本を搬送する機構を備え、原稿廃棄部７０が、製本された本を再利用不能な状態にして廃棄する機構を備えた構成であっても、同様に実現することができる。こうした構成により、製本された本を自動的に電子データ化し、かつ、原稿である本が確実に再利用不能な状態にされたことが検知された後で、読み取られたデータを利用可能とすることができる。このため、ユーザが製本部分を裁断して紙束とする手間を省略することができる。
【符号の説明】
【００４５】
１０    制御部
２０    原稿給紙部
３０    画像読取部
４０    暗号化部
５０    記憶部
５５    施錠部
６０    原稿搬送部
７０    原稿廃棄部
８０    廃棄検知部
９０    復号化部
１００    画像読取装置
２００    画像表示装置
【先行技術文献】
【特許文献】
【００４６】
【特許文献１】特開２００５−１５９７２９号公報
【特許文献２】特開２００３−３４５５５８号公報
【図１】
2014072833.tif 000003
【図２】
2014072833.tif 000004
【図３】
2014072833.tif 000005
【図４】
2014072833.tif 000006